(57)【要約】【課題】組合せ式万年暦の提供。【解決手段】台座本体、可動看板、複数のピンを包含し、該台座本体に斜板が設けられ、中間に幅広の凹溝が設けられ、上区画部両側に内側を貫通する側孔が設けられ、表面に透視窓が形成され、下区画部の下に短い切断後部が設けられ、該可動看板は、幅が台座本体の凹溝よりやや小さく該凹溝中に嵌め込まれ、且つ該凹溝との間に相互に係止部が設けられ、該複数のピンは円柱状を呈し、拡大された頭部と小径柱部を具え、台座本体の側孔中に挿入される。これにより、上区画部表面に曜日対照文字が印刷され、可動看板にマトリクス配列された日付数字が印刷され、複数のピンの柱部周囲に複数の月分及び年分が印刷され、可動式に組み合わされて、正確に複数組の異なる年、月、日及び曜日を表示する。【選択図】図１
0003118441.tif 000002
【実用新案登録請求の範囲】
【請求項１】
台座本体、可動看板、複数のピンを包含し、
該台座本体に斜板が設けられ、中間に幅広の凹溝が設けられ、上区画部と下区画部が形成され、上区画部の両側に側孔が設けられ透視窓が形成され、下区画部の下部に短い切断部が設けられ、後部が漸次縮小する台形を呈し、その両側に内に凹んだ設置部が設けられ、
該可動看板は、その幅が台座本体の凹溝よりやや小さく該凹溝中に嵌め込まれ、且つ該凹溝との間に相互に係止部が設けられ、
該複数のピンは、円柱状を呈し、拡大された頭部と小径柱部を具え、台座本体の側孔中に挿入されるか下区画部の設置部に放置され、
上区画部表面に曜日対照文字が印刷され、可動看板にマトリクス配列された日付数字が印刷され、複数のピンの柱部周囲に複数の月分及び年分が印刷され、可動式に組み合わされて、正確に複数組の異なる年、月、日及び曜日を表示することを特徴とする、組合せ式万年暦。
【請求項２】
請求項１記載の組合せ式万年暦において、可動看板と台座本体の凹溝間に相互に係合する係止部が設けられ、該係止部が可動看板と台座本体の対向辺に設けられた凹凸状の波形紋で構成されたことを特徴とする、組合せ式万年暦。
【請求項３】
請求項１記載の組合せ式万年暦において、複数のピンが合計４本設けられ、そのうち１本のピンの柱部周囲に１〜６月分の英文字体が印刷され、そのうちもう一本のピンの柱部周囲に７〜１２月分の英文字体が印刷され、もう２本のピンの柱部周囲に複数の年分が印刷されたことを特徴とする、組合せ式万年暦。
【考案の詳細な説明】
【技術分野】
【０００１】
本考案は万年暦の構造に係り、特に、造形が美しく、両側に組合せ用のピンを具え、中間に可動看板を具えた組合せ式万年暦の構造であって、簡単な組合せと移動により、対応する複数組の異なる関係年、月、日及び曜日を明らかに表示でき、応用上、相当に便利な組合せ式万年暦に関する。
【背景技術】
【０００２】
伝統的な日暦或いは月暦のほとんどは紙に印刷し装丁してなり、壁面に吊掛して一枚ずつ剥がして使用し、占有体積が大きく、且つ一年ごとに交換して使用後には破棄しなければならず、浪費を形成し環境保護に符合しないため、業界では多種類の反復使用可能な万年暦の設計を提供している。
【０００３】
例えば特許文献１に記載の万年暦日付調整装置は、本体と複数の翼板、押し板、スライドブロック、日付表示板、外カバー板を包含し、該本体の正面に月分と曜日指示エリアが設けられ、２側端に外側に向けて複数の翼板が延伸され、この側端板の内壁が外向きに適宜高さ突出し、外端に外カバー板に閉じ合わされる平面が設けられ、該複数の翼板は本体の２側より延伸された側端板外端より外向きに延伸設置され、各翼間に間隙が保留され、それぞれ独立した押圧板体をなし、各翼板の外端に該押し板が設けられ、該押し板の内端にスライドブロックを設置する空間が設けられ、該翼板のスライドブロック設置の空間に階段板面が設けられ、該階段板面の上端平面に、スライドブロックを支持位置決めする突出ブロックが設けられ、本体側端板に隣接する位置に、案内バーが設けられ、該スライドブロックは、翼板の階段板面の外端空間に設置されて、翼板の階段板面と平らに当接し、上端面が翼板の上端平面と揃い、下端面が下方翼板の位置決め凸塊位置に支持される。該スライドブロックの翼板の突出ブロックに隣接する位置に、斜溝が設けられ、本体側端板に隣接する案内バーに案内溝が設けられている。該スライドブロックの押し板に隣接する壁面が外向きに所定高さ延伸され、外端に押圧歯面が設けられる。正面に日付表示板の挿入に供される表示板位置決め溝が設けられる。日付表示板は、外端に表示平面があり、内端がスライドブロックの表示板位置決め溝と結合される。外カバー板は本体を被覆及び固定され、２側が翼板階段板面の外端まで延伸され、押し板内壁面と所定距離を有する。
【０００４】
この構造は重複使用でき、ゆえに消費者に喜ばれており、関係製品は市場での競争力を有するが、構造上さらに研究を重ねて、全体的に協調性があり、外観がよく、使用しやすい構造であって、消費者の購入意欲をかきたてる構造が必要である。
【０００５】
【特許文献１】台湾特許公告第２４９５３９号明細書
【考案の開示】
【考案が解決しようとする課題】
【０００６】
本考案の主要な目的は、造形が美しく両側にピンを具え、中間に可動看板を具えた組合せ式万年暦を提供することにあり、それは簡単な組合せと移動により対応する複数組の異なる関係年、月、日及び曜日を明らかに表示でき、応用上、相当に便利であるものとする。
【０００７】
上述の目的を達成するため、本考案の提供する組合せ式万年暦は、台座本体、可動看板、複数のピンを包含し、該台座本体に斜板が設けられ、中間に幅広の凹溝が設けられ、上区画部両側に内側を貫通する側孔が設けられ、表面に透視窓が形成され、下区画部の下に短い切断後部が設けられ、該可動看板は、幅が台座本体の凹溝よりやや小さく該凹溝中に嵌め込まれ、且つ該凹溝との間に相互に係止部が設けられ、該複数のピンは円柱状を呈し、拡大された頭部と小径柱部を具え、台座本体の側孔中に挿入される。これにより、上区画部表面に曜日対照文字が印刷され、可動看板にマトリクス配列された日付数字が印刷され、複数のピンの柱部周囲に複数の月分及び年分が印刷され、可動式に組み合わされて、正確に複数組の異なる年、月、日及び曜日を表示する。
【課題を解決するための手段】
【０００８】
請求項１の考案は、台座本体、可動看板、複数のピンを包含し、
該台座本体に斜板が設けられ、中間に幅広の凹溝が設けられ、上区画部と下区画部が形成され、上区画部の両側に側孔が設けられ透視窓が形成され、下区画部の下部に短い切断部が設けられ、後部が漸次縮小する台形を呈し、その両側に内に凹んだ設置部が設けられ、
該可動看板は、その幅が台座本体の凹溝よりやや小さく該凹溝中に嵌め込まれ、且つ該凹溝との間に相互に係止部が設けられ、
該複数のピンは、円柱状を呈し、拡大された頭部と小径柱部を具え、台座本体の側孔中に挿入されるか下区画部の設置部に放置され、
上区画部表面に曜日対照文字が印刷され、可動看板にマトリクス配列された日付数字が印刷され、複数のピンの柱部周囲に複数の月分及び年分が印刷され、可動式に組み合わされて、正確に複数組の異なる年、月、日及び曜日を表示することを特徴とする、組合せ式万年暦としている。
請求項２の考案は、請求項１記載の組合せ式万年暦において、可動看板と台座本体の凹溝間に相互に係合する係止部が設けられ、該係止部が可動看板と台座本体の対向辺に設けられた凹凸状の波形紋で構成されたことを特徴とする、組合せ式万年暦としている。
請求項３の考案は、請求項１記載の組合せ式万年暦において、複数のピンが合計４本設けられ、そのうち１本のピンの柱部周囲に１〜６月分の英文字体が印刷され、そのうちもう一本のピンの柱部周囲に７〜１２月分の英文字体が印刷され、もう２本のピンの柱部周囲に複数の年分が印刷されたことを特徴とする、組合せ式万年暦としている。
【考案の効果】
【０００９】
本考案の組合せ式万年暦は、造形が美しく両側にピンを具え、中間に可動看板を具え、簡単な組合せと移動により対応する複数組の異なる関係年、月、日及び曜日を明らかに表示でき、応用上、相当に便利である。
【考案を実施するための最良の形態】
【００１０】
図１〜図５に示されるように、本考案の組合せ式万年暦は、以下を包含する。
台座本体１であって、斜板１１を具え、該斜板１１の中間に幅広の凹溝１２が設けられて、該凹溝１２により上区画部１３と下区画部１４が形成され、上区画部１３の両側に側孔１５が設けられ、表面に透視窓１７が形成され、下区画部１４の下部に短い切断後部１６が設けられ、後部が漸次縮小する台形を呈し、その上の両側に内向きに凹んだ設置部１８が設けられている、上記台座本体１、
可動看板２であって、その幅が台座本体１の凹溝１２よりやや小さく、該可動看板２が該凹溝１２中に嵌め置かれ、且つ該凹溝１２との間に係止部５が設けられ、それは両者の対向辺に設けられた凹凸状の波形紋１９及び２９で構成され得て、相互に組合せ時に簡単には横に移動しない、上記可動看板２、
複数のピン３１、３４であって、それは円柱状を呈して拡大された頭部３５及び小径の柱部３６を包含し、台座本体１の側孔１５中に組み合わされるか、下区画部１４の設置部１８に置かれる、上記複数のピン３１、３４、
以上を包含する。
【００１１】
実施時に、上述の諸部品は透明アクリルで形成され、並びにその上区画部１３表面に曜日４１対照文字が印刷され、可動看板２にマトリクス配列の日付４２数字が印刷され、複数のピン３１、３４は合計４本で、そのうち２本のピン３１、３２の柱部３６の周囲に環状に複数の年分４３が印刷され、例えば１本のピンに２００５〜２００９年が印刷され、もう一本に２０１０〜２０１４年が印刷され、別の一本のピン３３の柱部周囲に１〜６月分の月分４４の英文字体が印刷され、さらにもう一本のピン３４の柱部３４に７〜１２月分の月分４４の英文字体が印刷されている。
【００１２】
これにより、その可動式の各部品が、組み合わされ或いは挿入されて、複数組の異なる関係年、月、日及び曜日を正確に表示できる組合せ式万年暦が形成され、それは簡単な構造で実用的である。例えば、図３に示されるのは２００５年１月の曜日対照であり、そのうち、可動看板２及び凹溝１２の両者の対向辺に凹凸状の波形紋１９及び２９が設けられ、ゆえに挿入組合せ時に簡単に横に移動することがなく、曜日を見間違えることがない。図４に示される２００５年２月に変更する時は、ピン３３を回転させて２月に合わせた後、可動看板２を取り出し、その１日を上区画部１３の正確な曜日４１文字に合わせれば、速やかに交換が行える。このほか、図５に示されるように、その他の未使用の年、月分ピン３２及び３４は本体後部１６の設置部１８上に置かれ、全体設計上、外観がよく、多年応用できる。
【００１３】
総合すると、本考案の設計の構造及び造形は十分に美しく、且つ簡単な組合せと移動により複数組の異なる関係年、月、日及び曜日を正確に表示でき、異なる年度の使用に供され、応用上、相当に便利であり、機能上、はるかに周知の技術よりも優れている。
【図面の簡単な説明】
【００１４】
【図１】本考案の各局部立体分解図である。
【図２】本考案の局部に印刷された文字を示す平面図である。
【図３】本考案の応用例の平面図である。
【図４】本考案の別の応用例の平面図である。
【図５】本考案の背面応用例図である。
【符号の説明】
【００１５】
１  台座本体              １１  斜板
１２  凹溝                １３  上区画部
１４  下区画部            １５  側孔
１６  後部                １７  透視窓
１８  設置部              １９  波形紋
２  可動看板              ２９  波形紋
３１  ピン                ３２  ピン
３３  ピン                ３４  ピン
３５  頭部                ３６  柱部
４１  曜日                ４２  日付
４３  年分                ４４  月分
５  係止部
【図１】
0003118441.tif 000003
【図２】
0003118441.tif 000004
【図３】
0003118441.tif 000005
【図４】
0003118441.tif 000006
【図５】
0003118441.tif 000007